(57)【要約】【課題】生体情報を正確に測定できる生体情報測定装置を提供する。【解決手段】生体情報測定装置は、生体に接触する第１凸曲面を有する背面部と、背面部に設けられ、生体側からの平面視において第１凸曲面の内側に位置して第１凸曲面より生体側に突出する第２凸曲面を有する透光性部材と、透光性部材を介して生体に光を出射する発光部及び透光性部材を介して生体から反射光を受光する受光部を有するセンサー部と、を備え、第１凸曲面と第２凸曲面とは、第１凹曲面により接続されている。【選択図】図５
2019150382.tif 000002
【特許請求の範囲】
【請求項１】
生体に接触する第１凸曲面を有する背面部と、
前記背面部に設けられ、前記生体側からの平面視において、前記第１凸曲面の内側に位置して前記第１凸曲面より前記生体側に突出する第２凸曲面を有する透光性部材と、
前記透光性部材を介して前記生体に光を出射する発光部、及び、前記透光性部材を介して前記生体からの反射光を受光する受光部を有するセンサー部と、を備え、
前記第１凸曲面と前記第２凸曲面とは、第１凹曲面により接続されていることを特徴とする生体情報測定装置。
【請求項２】
請求項１に記載の生体情報測定装置において、
前記第１凸曲面の曲率半径は、前記第２凸曲面の曲率半径より大きいことを特徴とする生体情報測定装置。
【請求項３】
請求項１又は請求項２に記載の生体情報測定装置において、
前記背面部は、前記生体側からの平面視において前記第１凸曲面の外側に位置し、前記生体側とは反対側に凹む第２凹曲面を有することを特徴とする生体情報測定装置。
【請求項４】
請求項１から請求項３のいずれか一項に記載の生体情報測定装置において、
前記生体側からの平面視において、前記第１凸曲面の外縁及び前記第２凸曲面の外縁は、同心円である生体情報測定装置。
【請求項５】
請求項１から請求項４のいずれか一項に記載の生体情報測定装置において、
前記背面部と前記透光性部材とは、一体形成されていることを特徴とする生体情報測定装置。
【発明の詳細な説明】
【技術分野】
【０００１】
本発明は、生体情報測定装置に関する。
【背景技術】
【０００２】
従来、生体情報を測定する生体情報測定装置が知られている。このような生体情報測定装置は、ユーザーの体表面と対向する面（下面）に設置された脈波計測部を備えるものが知られている（例えば特許文献１参照）。
特許文献１に記載の生体情報計測装置では、脈波計測部は、緑色ＬＥＤ及びフォトダイオードからなり、皮膚表面に光を照射し、毛細血管内の血流変化により変化する反射光の変動をフォトダイオードによって捉えることにより、脈波を計測する。
この生体情報計測装置では、ケースにおいて脈波計測部が設置される下面が、皮膚への接触状態を保つために、ユーザーの手首の形状に沿うような凹面状に形成されている。また、下面における中央付近には、凸形状の曲面及び平面で構成された透明窓であるセンサー窓が設置され、センサー窓の設置位置に脈波計測部が配置されている。
【先行技術文献】
【特許文献】
【０００３】
【特許文献１】特開２００７−３１９２３２号公報
【発明の概要】
【発明が解決しようとする課題】
【０００４】
しかしながら、特許文献１に記載の生体情報測定装置では、ユーザーに体動が生じた場合に、ユーザーの手首に配置されるケースが動くことがある。ケースが動く場合、脈波計測部が皮膚表面に対して、一定の押圧をかけられなくなる。その結果、脈波計測部が皮膚表面から離れ、受光部が反射光を検出しづらくなる。あるいは、外光の進入により、受光部が外光を検出し、ノイズが大きくなる。以上の理由から、脈波を検出しづらくなるという問題がある。
【０００５】
本発明は、上記課題の少なくとも一部を解決することを目的としたものであり、生体情報の検出精度を向上させることができる生体情報測定装置を提供することを目的の１つとする。
【課題を解決するための手段】
【０００６】
本発明の一態様に係る生体情報測定装置は、生体に接触する第１凸曲面を有する背面部と、前記背面部に設けられ、前記生体側からの平面視において、前記第１凸曲面の内側に位置して前記第１凸曲面より前記生体側に突出する第２凸曲面を有する透光性部材と、前記透光性部材を介して前記生体に光を出射する発光部、及び、前記透光性部材を介して前記生体からの反射光を受光する受光部を有するセンサー部と、を備え、前記第１凸曲面と前記第２凸曲面とは、第１凹曲面により接続されていることを特徴とする。
【０００７】
なお、凸曲面とは、生体側に突出する凸曲面を示し、凹曲面とは、生体側とは反対側に凹む凹曲面を示す。また、凹曲面は、一部に平面が含まれていてもよい。
このような構成によれば、透光性部材の第２凸曲面は、背面部の第１凸曲面より生体側に突出しているので、生体情報測定装置の生体への装着時に、第２凸曲面を生体に確実に接触させることができる。また、背面部が、生体側から見て透光性部材の第２凸曲面の外側に第１凸曲面を有することにより、平面や凹曲面が第２凸曲面の外側に配置されている場合に比べて、透光性部材の第２凸曲面を生体に安定して接触させることができる。このため、例えばユーザーに体動が生じて背面部が動く場合でも、第２凸曲面が生体に接触した状態を維持できる。これにより、センサー部の発光部は、透光性部材を介して生体に安定して光を照射でき、また、受光部は、透光性部材を介して生体からの反射光を安定して検出できる。この他、受光部に対する外光の進入を抑制し、受光部が外光を検出することによるノイズを抑制できる。従って、センサー部による生体情報の検出精度を向上させることができる。
更に、背面部の第１凸曲面と透光性部材の第２凸曲面とは、第１凹曲面によって滑らかに接続される。このため、第１凸曲面及び第２凸曲面のそれぞれが生体に接触した状態において、第１凹曲面を生体に接触させることができるので、第１凸曲面と第２凸曲面との境界部分の跡が生体に生じることを抑制でき、生体情報測定装置の使用感を損なうことがない。
【０００８】
上記一態様では、前記第１凸曲面の曲率半径は、前記第２凸曲面の曲率半径より大きいことが好ましい。
このような構成によれば、曲率半径が第２凸曲面より大きい第１凸曲面が、第２凸曲面と共に生体に接触することによって、第２凸曲面を生体により安定して接触させることができる。また、第２凸曲面が必要以上に生体に押圧されて押圧跡が生体に生じることを抑制できる。
【０００９】
上記一態様では、前記背面部は、前記生体側からの平面視において前記第１凸曲面の外側に位置し、前記生体側とは反対側に凹む第２凹曲面を有することが好ましい。
このような構成によれば、第２凹曲面は、例えばユーザーの手首等の被装着部位にフィットする形状となるので、ユーザーが生体情報測定装置を装着したときの装着感を向上させることができる。
【００１０】
上記一態様では、前記生体側からの平面視において、前記第１凸曲面の外縁及び前記第２凸曲面の外縁は、同心円であることが好ましい。
このような構成によれば、生体側から見たときに第２凸曲面が第１凸曲面の中央に位置するため、第２凸曲面を生体により安定して接触させることができる。
【００１１】
上記一態様では、前記背面部と前記透光性部材とは、一体形成されていることが好ましい。
このような構成によれば、透光性部材が設けられた背面部を簡単に製造することができる。例えば、背面部を形成する金型の内部に透光性部材を配置した後、樹脂等を注入することで、透光性部材が設けられた背面部を製造することができる。
【図面の簡単な説明】
【００１２】
【図１】本発明の一実施形態に係る生体情報測定装置の使用例を示す模式図。
【図２】上記実施形態における生体情報測定装置を示す正面図。
【図３】上記実施形態における生体情報測定装置を背面側から見た斜視図。
【図４】上記実施形態におけるケースの背面部を示す模式図。
【図５】上記実施形態におけるリアケースを示す側面図。
【図６】図５中のＶＩ部分を拡大して示す図。
【図７】上記実施形態における生体に対する生体情報測定装置の押込量と、生体に作用する押圧力との関係を示す図。
【発明を実施するための形態】
【００１３】
以下、本発明の一実施形態を、図面に基づいて説明する。
［生体情報測定装置の概略構成］
図１は、本実施形態に係る生体情報測定装置１の使用例を示す模式図である。
本実施形態に係る生体情報測定装置（以下、測定装置と略す場合がある）１は、図１に示すように、ユーザーＵＳの体に装着されて、ユーザーＵＳの生体情報を測定するウェアラブル機器である。具体的に、ユーザーＵＳの脈波を生体情報として検出し、同じく生体情報である脈拍数を測定する。
【００１４】
図２は、測定装置１を示す正面図である。
生体情報測定装置１は、図２に示すように、ケース２及びバンドＢＮ１，ＢＮ２を備える。
以下の説明では、ケース２の正面部２１側から背面部２２側（図３参照）に向かう方向を＋Ｚ方向とする。＋Ｚ方向に対して直交する二方向を＋Ｘ方向及び＋Ｙ方向とし、＋Ｘ方向を、正面部２１に対向する位置から見て９時方向とし、＋Ｙ方向を１２時方向とする。また、図示を省略するが、＋Ｚ方向とは反対方向を−Ｚ方向とする。−Ｘ方向及び−Ｙ方向も同様である。
すなわち、測定装置１が、ユーザーＵＳの左手首において手の甲側の部位（手の平側とは反対側の部位）に装着された場合、＋Ｙ方向は、親指側から小指側に向かう方向であり、＋Ｘ方向は、ユーザーＵＳの左手の指が伸びる方向とは反対方向（手首から肘に向かう方向）である。
【００１５】
バンドＢＮ１は、ケース２の＋Ｙ方向側の端部に接続され、ケース２に対して＋Ｙ方向に延出している。バンドＢＮ２は、ケース２の−Ｙ方向側の端部に接続され、−Ｙ方向側に延出している。これらのうち、バンドＢＮ１は、ケース２側とは反対側の端部に中留ＢＮ１１（図３参照）を有する。
ユーザーＵＳは、バンドＢＮ１，ＢＮ２を中留ＢＮ１１によって連結することにより、測定装置１を被装着部ＵＳ１に装着できる。なお、バンドＢＮ１，ＢＮ２は、ケース２と一体化されていてもよい。
【００１６】
［ケースの構成］
ケース２は、正面側に配置されるフロントケース２Ａと、背面側に配置されるリアケース２Ｂ（図３参照）とを有し、これらは互いにねじ等により固定された構成を有する。このようなケース２は、正面部２１、背面部２２（図３参照）及び側面部２３を有する。
正面部２１は、ケース２において−Ｚ方向側に位置する部位である。正面部２１の中央には表示部ＤＰが配置され、表示部ＤＰは、円形状のカバー２１１によって覆われている。
側面部２３は、＋Ｚ方向を中心とする周方向に沿って形成された環状部であり、正面部２１と背面部２２とを接続する。側面部２３には、ボタン２３１〜２３３が配置されている。ボタン２３１〜２３３は、ケース２に対して突没するボタンである。
【００１７】
図３は、生体情報測定装置１を背面側（＋Ｚ方向側）から見た斜視図であり、図４は、背面部２２の構成を示す模式図である。
背面部２２は、測定装置１が被装着部ＵＳ１に装着された場合に、生体の一部である被装着部ＵＳ１に接触する。背面部２２は、図３及び図４に示すように、背面部２２の外縁部分を構成するベース部２２１と、ベース部２２１から＋Ｚ方向側に突出する凸部２２２と、凸部２２２の略中央に位置して背面部２２を＋Ｚ方向に貫通する開口部２２３と、を有する。
【００１８】
これらのうち、凸部２２２は、＋Ｚ方向側に対向する面である第１凸曲面２２４と、第１凸曲面２２４及びベース部２２１の間の側面２２５と、を有する。
第１凸曲面２２４は、＋Ｚ方向側に対向すると共に凸部２２２において開口部２２３を囲っている。この第１凸曲面２２４は、外縁２２４Ｅ側から開口部２２３側に向かうに従って＋Ｚ方向側に突出している。また、第１凸曲面２２４は、図４に示すように、＋Ｚ方向側から見て円環状である。側面２２５は、ベース部２２１から＋Ｚ方向側に起立しており、ベース部２２１と第１凸曲面２２４とを接続している。
【００１９】
開口部２２３は、ケース２内に配置されたセンサー部３を構成する発光部３１及び受光部３２を露出させる部位であり、透光性部材４によって閉塞される。すなわち、測定装置１は、ケース２の凸部２２２に設けられるセンサー部３及び透光性部材４を有する。なお、透光性部材４は、開口部２２３から生体側に突出することにより、後述する第１凹曲面４２及び第２凸曲面４１を構成している。凸部２２２の第１凸曲面２２４及び透光性部材４の第１凹曲面４２は、滑らかに連続している。
【００２０】
ベース部２２１は、＋Ｚ方向側から見て凸部２２２の外側に位置する第２凹曲面２２１１を有する。第２凹曲面２２１１は、＋Ｙ方向の中央部分が−Ｚ方向側に凹むように、＋Ｙ方向に湾曲しているが、＋Ｚ方向には湾曲していない。換言すると、第２凹曲面２２１１は、バンドＢＮ１，ＢＮ２の延出方向に湾曲しているが、当該延出方向の直交方向には湾曲していない。これにより、第２凹曲面２２１１の＋Ｙ方向側の端部２２１２及び−Ｙ方向側の端部２２１３は、第１凸曲面２２４において最も＋Ｚ方向側に位置する部位より＋Ｚ方向側に位置し、また、第２凸曲面４１において最も＋Ｚ方向側に位置する部位より−Ｚ方向側に位置する（図５参照）。
よって、ベース部２２１の第２凹曲面２２１１は、ユーザーＵＳの手首の形状に沿うように構成されており、第２凹曲面２２１１の端部２２１２，２２１３は、ユーザーＵＳの手首に好適に接触する。ベース部２２１がこのような曲面構造を有することで、ユーザーＵＳが生体情報測定装置１を手首に装着したときに、使用感や装着感が良くなる。
なお、第２凹曲面２２１１の端部２２１２，２２１３の位置は、上記に限定されない。例えば、端部２２１２，２２１３の＋Ｚ方向における位置は、第２凸曲面４１において最も＋Ｚ方向側に位置する部位より更に＋Ｚ方向側に位置していてもよく、また、第１凸曲面２２４において最も−Ｚ方向側に位置する部位より−Ｚ方向側に位置していてもよい。
【００２１】
［センサー部の構成］
センサー部３は、生体に光を出射し、生体を介した光を受光することによって生体情報を検出するものである。センサー部３は、図４に示すように、発光部３１、受光部３２及び遮光部３３と、これら発光部３１、受光部３２及び遮光部３３が配置される基板３４と、を備える。
これらのうち、基板３４は、発光部３１及び受光部３２が実装され、遮光部３３が取り付けられるリジッド基板やフレキシブルプリント基板として構成されている。
【００２２】
発光部３１は、例えばＬＥＤ（Light Emitting Diode）等の固体光源によって構成され、透光性部材４を介して、生体の一部である被装着部ＵＳ１に光（例えば緑色光）を照射する。
受光部３２は、例えばＰＤ（Photodiode）により構成され、被装着部ＵＳ１にて反射された反射光を受光し、受光された受光光量の変化に応じた信号を、脈波を示す脈波信号として出力する。
なお、受光部３２は、角度制限フィルターや波長制限フィルターを有していてもよい。角度制限フィルターは、角度制限フィルターを構成するフィルター層の法線に対する入射光の角度である入射角が所定値（例えば３０°）未満である光を透過させ、入射角が所定値以上である光の透過を抑制するフィルターである。このような角度制限フィルターが設けられていることによって、ノイズとなる外乱光が受光部３２に入射されることが抑制される。また、波長制限フィルターは、発光部３１から出射された光を透過するフィルターであり、受光部３２によって受光される光の波長を制限する。
このような受光部３２から出力された脈波信号は、ケース２に収容された処理部（図示省略）によって解析され、生体情報の１つである脈拍数が決定される。
【００２３】
遮光部３３は、発光部３１と受光部３２との間に設けられ、発光部３１から出射された光を遮蔽して、発光部３１から出射された光が受光部３２に直接入射されることを抑制する。なお、本実施形態では、遮光部３３は、板状に形成されているが、基板３４に垂直な方向（＋Ｚ方向）から見て、受光部３２を囲む枠状に形成されていてもよい。
【００２４】
［透光性部材の構成］
図５は、リアケース２Ｂを示す側面図である。
透光性部材４は、図３及び図４に示すように、ケース２内に配置されたセンサー部３を覆うように、背面部２２の開口部２２３に嵌め込まれており、センサー部３を覆って保護するカバーとして機能する。透光性部材４は、発光部３１が出射する光、及び、生体にて反射されて受光部３２に入射される光を透過可能な透光性材料（例えばガラスや透明樹脂）によって形成されている。
このような透光性部材４は、図５に示すように、中央が外縁の部位より＋Ｚ方向側に突出する凸曲面状に形成されており、発光部３１から入射された光を生体に集光するレンズとして機能する。
【００２５】
透光性部材４は、背面部２２の開口部２２３から露出する部位において、開口部２２３の略中央に位置する第２凸曲面４１と、第２凸曲面４１の周りを囲うように第２凸曲面４１と開口部２２３の縁との間に位置する第１凹曲面４２と、を有している。
【００２６】
第２凸曲面４１は、生体に接触する部位である他、上記レンズとして機能する部位である。この第２凸曲面４１は、背面部２２の第１凸曲面２２４より＋Ｚ方向側に突出し、外縁４１Ｅ側から中央部に向かうに従って＋Ｚ方向側に突出している。また、第２凸曲面４１は、＋Ｚ方向側から見て円形である。
なお、第２凸曲面４１の中央部（頂点）における法線Ｎは、＋Ｚ方向と平行である。また、図４に示すように、＋Ｚ方向側からの平面視において、第１凸曲面２２４の外縁２２４Ｅ及び第２凸曲面４１の外縁４１Ｅは、法線Ｎを中心とする同心円である。
【００２７】
図６は、図５におけるＶＩ部分を拡大して示す図である。
第１凹曲面４２は、図６に示すように、−Ｚ方向側に凹んだ曲面であって、背面部２２の第１凸曲面２２４における開口部２２３側の部位と、第２凸曲面４１における外縁４１Ｅ側の部位とを接続している。第１凸曲面２２４と第２凸曲面４１とは、第１凹曲面４２によって滑らかに接続される。
【００２８】
以上の構成を有する透光性部材４は、背面部２２を含むリアケース２Ｂと共に一体形成することができる。例えば、リアケース２Ｂを形成する金型の内部に透光性部材４を配置した後、樹脂等を注入することで、透光性部材４が設けられたリアケース２Ｂを製造できる。
【００２９】
［各凸曲面の数値範囲］
図７は、生体に対する測定装置１の押込量と、生体に作用する押圧力との関係を示す図である。
測定装置１を生体に当てた状態で、測定装置１を生体側に押し込むと、図７に示すように、最初のうちは、透光性部材４の第２凸曲面４１が生体に当たることにより、生体に対する押圧力は急激に上昇する。これにより、生体に対する押圧力は、脈波信号を検出するための最小必要値Ｐｔ０を超える。この際の押込量に対する押圧力の傾きを傾きＳ１とする。
【００３０】
上記に引き続き測定装置１を生体側に押し込み、押込量が所定値Ｌ１を超えると、透光性部材４の第２凸曲面４１だけでなく、ケース２の第１凸曲面２２４が生体に押し当たる。これにより、測定装置１が生体に作用する押圧力が分散され、単位面積当たりの押圧力が低くなる。すなわち、生体に作用する押圧力は、傾きＳ１よりも小さな傾きＳ２によって緩やかに上昇する。
【００３１】
ここで、押込量の所定値Ｌ１から測定装置１の装着時に想定される押込量の最大値Ｌ２までを使用範囲ＲＡとすると、押圧力は、使用範囲ＲＡにおいて傾きＳ２によって緩やかに上昇する。なお、図７では、使用範囲ＲＡにおける押圧力の最小値をＰｔ１として示し、最大値をＰｔ２として示している。
【００３２】
上記した事項に基づき、本実施形態では、図７中の押込量の使用範囲ＲＡにおける押圧力の傾きＳ２がより小さくなるように、すなわち、押込量が使用範囲ＲＡ内で変化するときの押圧力の変化がより小さくなるように、第１凸曲面２２４及び第２凸曲面４１のそれぞれの＋Ｚ方向における寸法、直径及び曲率半径が設定されている。
【００３３】
本実施形態では、図５に示すように、外縁２２４Ｅから凸部２２２と透光性部材４との接続部までの範囲の＋Ｚ方向における寸法（第１凸曲面２２４の形成範囲における凸部２２２の＋Ｚ方向における寸法）を寸法Ｈ１とし、凸部２２２と透光性部材４との接続部から第２凸曲面４１の頂点までの範囲の＋Ｚ方向における寸法（透光性部材４の＋Ｚ方向における寸法）を寸法Ｈ２とすると、寸法Ｈ１は、寸法Ｈ２より小さい。具体的に、寸法Ｈ２は、０．５ｍｍ＜Ｈ２＜１．５ｍｍの関係を満たし、また、寸法Ｈ１に対する寸法Ｈ２の割合は、１．０＜Ｈ２／Ｈ１＜２．０の関係を満たす。
【００３４】
また、＋Ｚ方向側から見た場合の第１凸曲面２２４の直径を直径Ｄ１とし、第２凸曲面４１の直径を直径Ｄ２とすると、直径Ｄ１に対する直径Ｄ２の割合は、０．１＜Ｄ２／Ｄ１＜０．３の関係を満たす。
また、第１凸曲面２２４の曲率半径を曲率半径Ｒ１とし、第２凸曲面４１の曲率半径を曲率半径Ｒ２とすると、曲率半径Ｒ１は、曲率半径Ｒ２より大きい。具体的には、曲率半径Ｒ１に対する曲率半径Ｒ２の割合は、０．１＜Ｒ２／Ｒ１＜０．３の関係を満たす。
このような寸法、直径及び曲率半径に、第１凸曲面２２４及び第２凸曲面４１のそれぞれが形成されていることによって、測定装置１の生体への押込量が上記使用範囲ＲＡ内で変化するときでも、最小必要値Ｐｔ０を超えた範囲で、生体に作用する押圧力の変化を小さくすることができ、適した押圧力を生体に作用させやすくすることができる。
【００３５】
［実施形態の効果］
以上説明した本実施形態に係る生体情報測定装置１によれば、以下の効果を奏することができる。
生体情報測定装置１は、生体に接触する第１凸曲面２２４を有する背面部２２と、背面部２２に設けられ、生体側（＋Ｚ方向側）から見た平面視において第１凸曲面２２４の内側に位置して第１凸曲面２２４より生体側に突出する第２凸曲面４１を有する透光性部材４と、センサー部３とを備える。センサー部３は、透光性部材４を介して生体に光を出射する発光部３１及び透光性部材４を介して生体から反射光を受光する受光部３２を有する。また、第１凸曲面２２４と第２凸曲面４１とは、第１凹曲面４２により接続されている。
このような構成によれば、透光性部材４の第２凸曲面４１は、背面部２２の第１凸曲面２２４より生体側に突出しているので、測定装置１の生体への装着時に、第２凸曲面４１を生体に確実に接触させることができる。また、背面部２２が、生体側から見て透光性部材４の第２凸曲面４１の外側に第１凸曲面２２４を有することにより、平面や凹曲面が第２凸曲面４１の外側に配置されている場合に比べて、透光性部材４の第２凸曲面４１を生体に安定して接触させることができる。このため、例えばユーザーに体動が生じて背面部２２が動く場合でも、透光性部材４の第２凸曲面４１が生体に接触した状態を維持できる。これにより、センサー部３の発光部３１は、透光性部材４を介して生体に安定して光を照射でき、また、受光部３２は、透光性部材４を介して生体からの反射光を安定して検出できる。この他、受光部３２に対する外光の進入を抑制し、受光部３２が外光を検出することによるノイズを抑制できる。従って、センサー部３による生体情報の検出精度を向上させることができる。
更に、背面部２２の第１凸曲面２２４と透光性部材４の第２凸曲面４１とは、第１凹曲面４２によって滑らかに接続される。このため、第１凸曲面２２４及び第２凸曲面４１のそれぞれが生体に接触した状態において、第１凹曲面４２を生体に接触させることができるので、第１凸曲面２２４と第２凸曲面４１との境界部分の跡が生体に生じることを抑制でき、生体情報測定装置１の使用感を損なうことがない。
【００３６】
第１凸曲面２２４の曲率半径Ｒ１は、第２凸曲面４１の曲率半径Ｒ２より大きい。このような構成によれば、第２凸曲面４１の曲率半径Ｒ２より大きい曲率半径Ｒ１を有する第１凸曲面２２４が、第２凸曲面４１と共に生体に接触することによって、第２凸曲面４１を生体により安定して接触させることができる。また、第２凸曲面４１が必要以上に生体に押圧されて押圧跡が生体に生じることを抑制できる。
【００３７】
背面部２２は、生体側からの平面視において第１凸曲面２２４の外側に位置し、生体側とは反対側（−Ｚ方向側）に凹む第２凹曲面２２１１を有している。このような構成によれば、第２凹曲面２２１１は、ユーザーＵＳの手首等にフィットする形状を有するため、ユーザーＵＳが生体情報測定装置１を手首等に装着したときの装着感が向上する。
【００３８】
生体側からの平面視において、第１凸曲面２２４の外縁２２４Ｅ及び第２凸曲面４１の外縁４１Ｅは、同心円である。このような構成によれば、生体側から見たときに透光性部材４の第２凸曲面４１が背面部２２の第１凸曲面２２４の中央に位置するため、第２凸曲面４１を生体により安定して接触させることができる。
【００３９】
背面部２２と透光性部材４とは、一体形成されている。このような構成によれば、透光性部材４が設けられた背面部２２を簡単に製造することができる。
【００４０】
また、生体情報測定装置１では、上記した第１凸曲面２２４及び第２凸曲面４１それぞれの数値範囲により、生体に対するケース２の接触面積を好適に確保し、生体への測定装置１の押込量の変化に対して、生体に作用する押圧力の変化を緩やかに抑制することができる。これにより、生体が動作して測定装置１の押込量が変化した場合にも、適した押圧力を安定して生体に作用させることができる。
【００４１】
［実施形態の変形］
本発明は、上記実施形態に限定されるものではなく、本発明の目的を達成できる範囲での変形、改良等は本発明に含まれるものである。
上記実施形態では、生体情報測定装置１が、第１凸曲面２２４と第２凸曲面４１との間を接続する第１凹曲面４２を有する構成とした。しかしながら、これに限らず、生体情報測定装置１は第１凹曲面４２を有さずともよい。例えば、第１凸曲面２２４と第２凸曲面４１とは、直接接続されていてもよいし、平面部や傾斜部を介して接続されてもよいし、−Ｚ方向側に凹んだ溝部によって接続されてもよい。
【００４２】
上記実施形態では、透光性部材４が、第１凸曲面２２４と第２凸曲面４１との間を接続する第１凹曲面４２を有するとした。しかしながら、これに限らず、第１凸曲面２２４と第２凸曲面４１との間を接続する凹曲面は、ケース２が有する構成としてもよい。或いは、透光性部材４及びケース２のそれぞれが、第１凸曲面２２４と第２凸曲面４１とを接続する凹曲面を分割してもよい。
また、上記実施形態では、第１凹曲面４２は、開口部２２３の内側に位置するとしたが、これに限らず、ケース側の凸曲面と透光性部材の凸曲面とを接続する凹曲面は、センサー部が内側に配置される開口部の端縁より外側に位置してもよい。
【００４３】
上記実施形態では、第１凸曲面２２４及び第２凸曲面４１のそれぞれに関する好ましい数値範囲を例示しているが、本発明はこれに限定されるものではない。
例えば、第１凸曲面２２４の上記寸法Ｈ１は、第２凸曲面４１の上記寸法Ｈ２よりも小さいと説明した。しかしながら、これに限られず、第１凸曲面２２４の上記寸法Ｈ１は、第２凸曲面４１の上記寸法Ｈ２よりも大きくてもよい。
その他、第１凸曲面２２４の寸法Ｈ１、直径Ｄ１及び曲率半径Ｒ１、並びに、第２凸曲面４１の寸法Ｈ２、直径Ｄ２及び曲率半径Ｒ２は、曲率半径Ｒ１が曲率半径Ｒ２より大きくなる範囲であることが好ましいが、これに限らず適宜設定可能である。
【００４４】
上記実施形態では、第１凸曲面２２４及び第２凸曲面４１のそれぞれは、１つの曲率半径Ｒ１，Ｒ２を有する一様の曲面である。しかしながら、これに限らず、第１凹曲面４２及び第２凹曲面２２１１は、それぞれ一部に平面が含まれていてもよく、球面ではなく非球面であってもよい。また、第１凸曲面２２４及び第２凸曲面４１は、それぞれ複数の曲率半径又は曲率を有する曲面（複合曲面又は自由曲面）であってもよい。これらの場合であっても、第１凸曲面２２４の近似曲面の曲率半径は、第２凸曲面の近似曲面の曲率半径より大きいことが好ましい。
【００４５】
上記実施形態では、背面部２２が、第１凸曲面２２４の外側に位置する第２凹曲面２２１１を有するが、これに限らず、第２凹曲面２２１１を有さなくてもよい。
上記実施形態では、生体側からの平面視において、第１凸曲面２２４及び第２凸曲面４１の各外縁２２４Ｅ，４１Ｅは同心円であるとした。しかしながら、これに限らず、例えば、第１凸曲面２２４及び第２凸曲面４１の各外縁２２４Ｅ，４１Ｅは、円形の一部が欠けた形状でもよいし、他の形状であってもよい。あるいは、第１凸曲面２２４及び第２凸曲面４１の各中心は一致せずともよい。
【００４６】
上記実施形態では、背面部２２と透光性部材４とは、一体形成されているとした。しかしながら、これに限らず、生体情報測定装置１の背面構成は、他の方法によって形成されていてもよい。例えば、透光性部材４は、背面部２２に嵌め込まれて固定されていてもよい。
【００４７】
上記実施形態では、センサー部３が発光部３１及び受光部３２を各１つずつ備えているが、これに限られない。例えば、センサー部３は、発光部３１及び受光部３２の少なくとも一方を複数備えていてもよい。
【００４８】
上記実施形態では、生体情報測定装置１は、ユーザーＵＳの手首等の被装着部ＵＳ１に装着されて利用されるウェアラブル機器として説明した。この被装着部ＵＳ１は、手首に限られず、胸体や足首など他の部位でもよい。
【００４９】
上記実施形態では、センサー部３が出力する脈波信号に基づいて、生体情報の他の１つである脈拍数を解析するとした。すなわち、生体情報測定装置１は、脈波及び脈拍数を測定するとした。しかしながら、本発明の生体情報測定装置が測定可能な生体情報は、上記に限定されない。例えば、生体情報測定装置は、センサーによる検出結果に基づいて、ＨＲＶ（Heart Rate Variability）、ＲＲＩ（R-R Interval：脈拍間隔）、血圧、血糖値、活動量、消費カロリー及び最大酸素摂取量（ＶＯ２ｍａｘ）を測定してもよい。
【符号の説明】
【００５０】
１…生体情報測定装置、２…ケース、２Ｂ…リアケース、２２…背面部、２２１…ベース部、２２１１…第２凹曲面、２２２…凸部、２２３…開口部、２２４…第１凸曲面、２２４Ｅ…外縁、３…センサー部、４…透光性部材、４１…第２凸曲面、４２…第１凹曲面、Ｒ１…曲率半径（第１凸曲面の曲率半径）、Ｒ２…曲率半径（第２凸曲面の曲率半径）、ＵＳ１…被装着部（生体）。
【図１】
2019150382.tif 000003
【図２】
2019150382.tif 000004
【図３】
2019150382.tif 000005
【図４】
2019150382.tif 000006
【図５】
2019150382.tif 000007
【図６】
2019150382.tif 000008
【図７】
2019150382.tif 000009